(57)【要約】【課題】  養殖魚を養殖する養魚場の水に水流を発生させること。【解決手段】  本体部２０，２１の開口部４２の下部に位置するポンプ室４０は、回転軸３４に取付けられた羽根車３５の回転により、本体部２０，２１の開口部４２から吸い込まれた水を吐出する構造であるから、構造が簡単で、しかも、廉価に製造できる。また、ポンプ室４０が本体部２０，２１の上部にある開口部４２から養魚場の水を吸い込み、それをポンプ室４０の吐出部４３から噴き出すものであるから、養魚場の下に沈殿している土砂等を装置内部に吸い込まない水流とすることができるから養殖されている魚が、土砂等を飲み込むことがない。【選択図】      図２
2006025729.tif 000002
【特許請求の範囲】
【請求項１】
養殖魚を養殖する養魚場の水に水流を発生させる水流発生装置において、
全体が略中空柱状体でなり、その周囲に前記養魚場の水を吸い込む開口部が形成された本体部と、
前記本体部の中空内部に回転可能に配置され、前記本体部の長手方向に延在する回転軸と、
前記本体部の上方部に設置され、前記回転軸を回転駆動する駆動装置と、
前記本体部の開口部の下部に位置し、前記回転軸に取付けられた羽根車を収容し、前記羽根車の回転により、前記本体部の開口部から吸い込まれた水を吐出する吐出部を有するポンプ室と
を備えたことを特徴とする水流発生装置。
【請求項２】
前記ポンプ室には、酸素を含む気体を送給する送給管が配設されていることを特徴とする請求項１に記載の水流発生装置。
【請求項３】
更に、酸素を含む気体にオゾン混合する混合気体を生成する混合気体生成装置と、前記混合気体生成装置で生成された混合気体を送給する送給管を具備することを特徴とする請求項１に記載の水流発生装置。
【請求項４】
前記本体部の開口部は、前記本体部の長さ方向に延長する溝状開口部としたことを特徴とする請求項１乃至請求項３の何れかに記載の水流発生装置。
【発明の詳細な説明】
【技術分野】
【０００１】
この発明は、群をなし流れに逆らって泳ぐ性質を備える鮎や鱒或いは鯉等の養殖魚を養殖する養魚場の水に水流を発生させる水流発生装置に関するものである。
【背景技術】
【０００２】
群をなし流れに逆らって泳ぐ性質を備える鮎や鱒或いは鯉等の養殖魚を養殖する養魚場は、その平面形状が矩形状、丸形形状或いはその他の形状に作られており、養殖魚を自由勝手に泳がせて養殖するため、自然魚と略同等の肉質に養殖されることが難しい。
【０００３】
一般に、この養魚場では養殖魚を充分運動させることが難しく、充分運動させないまま養殖された養殖魚は、病気になりやすく、かつ、ストレスが溜まりやすく、黒ずんだ状態になる。また、天然の魚類に比較すると余分な体脂肪が付いて、所謂、肥満した魚類となって肉質が良好のものとはならず、市場価格も安くなる等の問題点がある。
【０００４】
このため、養殖魚を養殖するのに、養殖魚が水流に逆らって泳ぐ性質を利用した養魚場が作られている。また、養殖魚をストレスの少ない状態にするために、右曲がりと左曲がりの流路部分が連設され、自然の川に酷似する環境下にした周回流路を有するとともに、周回流路には流路内の水流を一定方向にする周回流形成手段を設置した養殖魚のストレス蓄積防止技術が提案されている（例えば、特許文献１参照）。
【特許文献１】特開２００２−４５０８３号公報（第２欄１６行―２７行、図１）
【０００５】
また、海や河川、さらには湖沼等の水が澱んだ水域の溶存酸素量の不足を補う目的で、中央部に水中に向かって開口した開口部を有する船体と、上昇位置と下降位置との間で開口部を通って位置変更可能に船体に装着された水流発生手段と、この水流発生手段を上昇位置と下降位置との間で位置変更させる位置変更手段とを設け、水流発生手段は水平方向に向けて水流を発生させる水流機を有し、位置変更手段は、開口部に臨んで基端側が船体にリンクされ、かつ、先端側が水流発生手段にリンクされた平行四辺形型リンク構造と、この平行四辺形型リンク構造にリンク運動を行わせる駆動手段とを有した水流発生装置が提案されている。そして、水流発生手段を上昇位置に設定した船体を所定の水域に浮かべて目的の場所まで曳航または自走させ、その場所で位置変更手段の鼓動手段によって水流発生手段を下降位置に位置変更し、この状態で水流機を駆動することにより、水流発生手段が周りの水を吸い込んでそれを吐出し、これによって澱んだ水中に水流を発生させ、溶存酸素量を増加させる水流発生装置が提案されている（例えば、特許文献２参照）。
【特許文献２】特開平１０−２２６３９１号公報（第７欄４７行―第８欄１５行、図３）
【発明の開示】
【発明が解決しようとする課題】
【０００６】
しかし、前記特許文献１は、養殖魚が水流に逆らって泳ぐ性質を利用して、養魚場の一定方向に水流を発生させ、養殖魚をストレスの少ない状態で養殖する方法並びにその養魚場についての技術を開示したものであって、養魚場の流路に水流を発生させる水流発生装置についての具体的提案はない。養殖を前提とする養魚場では、単位体積当たりの魚の密度が高く、流路を形成すると効率のよい養殖ができなくなり、前記特許文献１は実用的でなかった。
【０００７】
また、前記特許文献２は、海や河川、さらには湖沼等の水が澱んだ水域の水中で水流機を駆動することにより、水流発生手段が周りの水を吸い込んでそれを吐出し、これによって澱んだ水中に水流を発生させ、溶存酸素量を増加させる技術を開示したものである。しかし、ここで開示された技術は、あくまで溶存酸素量の増加を狙ったものであり、群をなし流れに逆らって泳ぐ鮎や鱒或いは鯉等の養殖魚を養殖する養魚場の水に水流を発生させる水流発生装置とは、水流を発生させる目的を異にする技術思想を開示したものである。更に、ここに開示された水流発生装置は、装置自体が大がかりなものである。
【０００８】
なお、溶存酸素量の増加を狙って水を撹拌する技術については、例えば、特開平８−２９０１９３号公報等多数の開示がある。しかし、いずれも養殖魚を養殖する養魚場の貯水に水流を発生させる水流発生装置についての具体的構成を開示したものは見あたらない。
【０００９】
この発明は、これらの実情に鑑みてなされたもので、養殖魚を養殖する養魚場の水に水流を発生させる簡単な構造で、安価、かつ、水中の土砂等を装置内部に吸い込み難い水流発生装置の提供を課題とするものである。
【課題を解決するための手段】
【００１０】
上記の目的を達成するために、請求項１の発明の水流発生装置は、全体が略中空柱状体で構成されるとともに、その周囲に前記養魚場の水を吸い込む開口部が形成された本体部と、前記本体部の中空内部に回転可能に配置され、前記（該は直前の単語を意味する）本体部の長手方向に延在する回転軸と、前記本体部の上方部に設置され、前記回転軸を回転駆動する駆動装置と、前記本体部の開口部の下部に位置し、前記回転軸に取付けられた羽根車を収容し、前記羽根車の回転により、前記本体部の開口部から吸い込まれた水を吐出する吐出部を有するポンプ室を具備するものである。
【００１１】
ここで、上記本体部は、通常、全体が略円筒状の中空柱状体で構成されるが、主に、水の通路となるものであるから、全体が略円筒状に限定されるものではなく、略四角筒状及び略多角筒状とすることができる。また、その開口部は、円形またはその長さ方向に長い長円形、四角形状、多角形状等の形状とすることができる。
【００１２】
また、上記回転軸は、前記本体部の中空内部に回転可能に配置され、前記本体部の長手方向に延在するものであるが、本発明を実施する場合には、駆動装置とポンプ室の羽根車とが連繋されるものであればよい。
【００１３】
そして、上記駆動装置は、本体部の上方部に設置され、前記回転軸を回転駆動するものであり、電動機を直結するものであっても、または電動機の回転を減速機構を介して前記回転軸に接続してもよい。いずれにせよ、駆動装置は、回転軸の駆動源となるものを有しておればよい。
【００１４】
更に、上記ポンプ室は、前記本体部の下方部に設けられるもので、前記回転軸に取付けられた羽根車を収納される室を構成するものであればよい。
【００１５】
更にまた、上記吐出部は、前記本体部の開口部の下部に位置し、前記羽根車の回転により、前記本体部の開口部から吸い込まれた水を吐出する部位で、ポンプ室の一部を構成するものである。
【００１６】
また、請求項２の発明の水流発生装置は、請求項１の発明に、更に、酸素を含む気体をポンプ室に送給する送給管を具備するものである。
【００１７】
この送給管は、外部から空気をポンプで送給してもよいし、送給管のみを配設し、羽根車の形成する負圧により、酸素を含む気体を吸引するようにしてもよい。これによって水位の変化によって空気が引き込まれなくなり、水中の酸素濃度が減衰するという現象が回避される。
【００１８】
そして、請求項３の発明の水流発生装置は、請求項１の発明に、更に、酸素を含む気体にオゾン混合する混合気体を生成する混合気体生成装置と、前記混合気体生成装置で生成された混合気体をポンプ室に送給する送給管とを具備するものである。
この送給管は、外部から酸素及びオゾン混合した混合気体を空気をポンプで送給してもよいし、送給管のみを配設し、羽根車の形成する負圧により、酸素を含む気体を吸引するようにしてもよい。これによって水位の変化によって空気が引き込まれなくなり、水中の酸素濃度が減衰するという現象が回避される。
【００１９】
更にまた、請求項４の発明の水流発生装置は、請求項１乃至請求項３のいずれか１つに記載の開口部を、本体部の長さ方向に延長する溝状開口部としたものである。
【００２０】
この溝状開口部は、水中の上部の層から水を取り入れることができ、かつ、溝状開口部の一部が空気中から空気を吸い込み易くなり、ポンプ室から吸い込まれた水と空気を吐き出すことができる。
【発明の効果】
【００２１】
請求項１の発明によれば、本体部の開口部の下部に位置するポンプ室は、回転軸に取付けられた羽根車の回転により、本体部の開口部から吸い込まれた水を吐出する構造であるから、構造が簡単で、しかも、廉価に製造できる。また、ポンプ室が本体部の上部にある開口部から養魚場の水を吸い込み、それをポンプ室の吐出部から噴き出すものであるから、養魚場の下に沈殿している土砂等を装置内部に吸い込まない水流とすることができるから養殖されている魚が、土砂等を飲み込むことがない。
【００２２】
請求項２の発明によれば、請求項１の効果に加えて、前記ポンプ室に酸素を含む気体を送給する送給管が配設されているから、水位の変化に対しても、養魚場の水に溶け込んでいる酸素濃度を高くすることができる。この酸素の供給は水質を浄化し、養殖魚の育成を良好にすることができる。
【００２３】
請求項３の発明によれば、請求項１の効果に加えて、酸素を含む気体にオゾンを混合した混合気体を生成し、その生成された混合気体を送給し、ポンプ室の吐出部からそれを水と共に噴き出すものであるから、病気の少ない養殖魚の養殖を可能にする。また、水位の変化に対しても、養魚場の水に溶け込んでいる酸素濃度を高くすることができる。この酸素の供給は水質を浄化し、養殖魚の育成を良好にすることができる。
【００２４】
請求項４の発明によれば、請求項１乃至請求項３の何れかに記載の水流発生装置の本体部の開口部は、前記本体部の長さ方向に延長する溝状開口部としたものであるから、水位変動にも対応でき、かつ、空気を吸い込ませることもできる。
【発明を実施するための最良の形態】
【００２５】
以下に添付図面を参照して、この発明にかかる水流発生装置について好適な実施の形態を説明する。
【００２６】
実施の形態１．
図１は本発明の実施の形態１の水流発生装置を矩形状の養魚場において使用している状態を平面的に示した概念図である。図２は本実施の形態１の水流発生装置で、便宜上、一部を破断して図示した正面図である。また、図３は本発明の実施の形態１の水流発生装置に使用されている羽根車の正面図であり、図４は図３のＸ−Ｘ線断面図である。図５は本発明の実施の形態１の水流発生装置に使用しているポンプ室の水平断面図である。
【００２７】
図１において、養魚場１０には所定の深さの水１１が入っており、養魚場１０の所望の位置に、本実施の形態１に係る水流発生装置１２が、壁面に近いところに、上方部分を水面から突出するように配置されている。
【００２８】
水流発生装置１２は、交流電源１３から直接またはインバータ装置１４を介して電力が供給されるように接続されており、この電力を受けて後述するように、養魚場１０の水１１に、例えば、一点鎖線で示す水流１５を発生させている。なお、養殖魚１６は、この水流１５に逆らって泳ぐ鮎や鱒或いは鯉等を示している。
【００２９】
図１においては、説明の便宜上、インバータ装置１４を水流発生装置１２と別体として図示しているが、実際にはインバータ装置１４は水流発生装置１２の駆動源である電動機内に一体構成されており、所謂、インバータ電動機として機能するものである。なお、水流発生装置１２が養魚場１０の水１１に水流１５を発生させるメカニズムについては後述する。
【００３０】
また、図１は、水流発生装置１２に交流電源１３からインバータ装置１４を介して電力を供給する方法について図示しているが、交流電源１３に変わって太陽光発電を行うソーラー発電機等から電力を供給する方法を採用してもよい。
【００３１】
図２において、水流発生装置１２には、中空円柱体からなる下部胴体部２０と、この下部胴体部２０の上部に搭載され、下部胴体部２０と略同一直径の中空円柱体からなる上部胴体部２１と、水流発生装置１２の駆動源である電動機２２が装備されている。
【００３２】
下部胴体部２０と上部胴体部２１とは、下部胴体部２０の上部に形成される下部フランジ２３と、上部胴体部２１の下部に形成される上部フランジ部２４を、ねじなどの締付具（図示せず）で締め付けることにより一体的に構成されている。
【００３３】
この下部胴体部２０と上部胴体部２１とを一体的にすることにより、水流発生装置１２の本体部２５が構成されている。なお、本実施の形態では、下部胴体部２０と上部胴体部２１とで本体部２５が構成される事例を示したが、本発明を実施する場合には、一体で構成してもよい。
【００３４】
電動機２２は、取付座２６を介して上部胴体部２１に取付けられており、電動機２２の端子箱２７の端子（図示せず）を介して交流電源１３に接続されている。また、電動機２２の出力軸２８は歯車ケース２９内に突出しており、出力軸２８の突出端には、出力側ベルトプーリ３０が装着されている。この出力側ベルトプーリ３０は、負荷側ベルトプーリ３２とベルト３１によって連結されている。出力側ベルトプーリ３０は負荷側ベルトプーリ３２と連結されるように構成され、これら出力側ベルトプーリ３０、ベルト３１、及び負荷側ベルトプーリ３２は、ケース２９内に収納されて、電動機２２とともに水流発生装置１２の駆動装置３３を構成する。
【００３５】
回転軸３４は金属棒からなり、下部胴体部２０と上部胴体部２１からなる本体部２５の中空内部を長手方向に延在するように配置されている。回転軸３４の上部には負荷側ベルトプーリ３２が装着され、下部には羽根車３５が装着されている。
【００３６】
この羽根車３５は、図３の平面図と、図３のＸ―Ｘ線断面図である図４に示すような構成となっている。
【００３７】
即ち、羽根車３５は、回転軸３４に、例えば、ボルト３６で取付けられる軸受部３７と、この軸受部３７と一体的に形成される撹拌翼３８、及びこの撹拌翼３８と一体的に形成される複数個の羽根板３９から構成されている。また、羽根車３５は、アルミニュウム等の非金属、金属、或いは樹脂等により形成されるとともに、下部胴体部２０の下端部に形成されるポンプ室４０に配置されている。この羽根板３９は正面から見た長方形、または上部の幅が短くなった台形に形成されている。これらの羽板３９の形状は、放出水量及び吸引力、回転数等によって決定される。即ち、羽根車３５は、放出水量及び吸引力、回転数等によって、その形状、型式が任意に決定されるものである。
【００３８】
軸受４１は、上部胴体部２１内に取付けられ、回転軸３４を回転可能に支承するベアリングを示している。また、円形開口部４２は、下部胴体部２０に形成された開口で、後述するように、羽根車３５の回転によって生じる養魚場１０の水１１の吸引口となるものである。円形開口部４２は、下部胴体部２０のポンプ室４０よりも上部の位置に形成されている。また、あまり下方位置に形成すると下部胴体部２０等の内部に土砂等を吸い込むことになるので、水面より若干下方位置に形成することが好ましい。また、この円形開口部４２は、所望の直径を有し、下部胴体部２０の周囲に所定間隔で複数形成されており、円形開口部４２の相互のポンプ室４０からの位置は、略同一高さまたは機械的強度及び水位の変動を考慮してその付近の位置に形成されている。
【００３９】
吐出部４３は、先端部が養魚場１０に開口し、他端部がポンプ室４０から噴出する水の吐出口であって、図５に羽根車３５とともにその平面構造を示している。この吐出部４３は、下部胴体部２０に形成される円形開口部４２から吸い込んだ水１１を、養魚場１０の底面と略平行方向に吐出するものであって、図２に矢印Ｗで示すように水流を形成する。また、基台４４は、水流発生装置１２の最下部に取付け部材であって、水流発生装置１２が養魚場１０で転倒しないように安定して設置できるように設けられるものである。したがって、設置の安定性及び自重が重いものである。
【００４０】
気体生成装置４５は、生成された酸素を含む気体、例えば、空気は、気体供給管４６によりポンプ室４０に送給される。気体供給管４６は、締め付け部材４７によりスペーサー４８を介して下部胴体部２０に締め付けられている。また、気体生成装置４５で生成された酸素を含む気体は、気体供給管４６の所望箇所に設けられたバルブ４９により、送給、遮断或いは送給量の調節が行われる。
【００４１】
なお、前記において、電動機２２の出力軸２８の回転力を回転軸３４に伝達するのに、ケース２９内に収納された出力側ベルトプーリ３０、負荷側ベルトプーリ３２、及びベルト３１で伝達する装置について図示説明したが、電動機２２の出力軸２８の回転駆動力を回転軸３４に伝達すればよく、例えば、出力側ベルトプーリ３０、ベルト３１、負荷側ベルトプーリ３２を歯車に変えて伝達してもよく、或いは電動機２２の出力軸２８と回転軸３４とを直結して伝達してもよい。また、周知のギャード電動機を用いる等、諸種の手段が使用可能である。ベルトプーリ３０、ベルト３１、負荷側ベルトプーリ３２で伝達する方式、更にはギャード電動機で伝達する方式を採用する場合は、歯車の組み合わせ、或いはベルトとプーリーの組み合わせ、更にはギャード電動機のギャ比により、回転軸３４の回転力、或いは回転速度が任意に選べる。
【００４２】
本実施の形態１の水流発生装置は、このように構成されており、次のように動作する。
【００４３】
先ず、水流発生装置１２を養魚場１０の所望の位置に設置すると、水流発生装置１２の下部胴体部２０に形成された円形開口部４２から水１１が下部胴体部２０内の水面位置５０まで入り込み、ポンプ室４０が水１１で充満される。次に、交流電源１３から電動機２２に電力を供給すると、電動機２２は回転駆動され、この回転駆動力は、ケース２９内に収納された出力側ベルトプーリ３０からベルト３１を介して負荷側ベルトプーリ３２に回転力を伝達して回転軸３４を回転させる。回転軸３４は軸受４１に支承されて回転し、ポンプ室４０に配置されている羽根車３５を回転させる。
【００４４】
羽根車３５が回転することにより、水流発生装置１２の下部胴体部２０に形成された円形開口４２から水１１が吸い込まれ、この吸い込まれた水１１が遠心力を付与されて吐出部４３から吐出される。この吐出された水１１は、図１に示すように養魚場１０の水１１に水流１５を形成することになり、この形成された水流１５に逆らって鮎や鱒或いは鯉等の養殖魚１６が群れをなして泳ぐことになる。
【００４５】
また、気体生成装置４５で生成される酸素を含む気体、例えば、バルブ４９を開放することにより、空気または酸素が気体供給管４６を経てポンプ室４０に送給され、養魚場１０の水１１に酸素を供給する。この酸素の供給は水質を浄化し、養殖魚１６の育成に良好な効果をもたらす。
このとき、空気または酸素が気体供給管４６を経てポンプ室４０への送給は、外部の圧力ポンプによって送給してもよいし、或いは、外部の圧力ポンプに頼ることなく、ポンプ室４０の吸引力を使用して送給してもよい。なお、養魚場１０の水位と部胴体部２０に形成された円形開口４２との距離が近い場合には、自然に空気を巻き込み養魚場１０の水１１に酸素を供給することができる。特に、気体供給管４６を用いることにより、養魚場１０の水位と部胴体部２０に形成された円形開口４２との距離に無関係に、ポンプ室４０に空気を供給することができる。
【００４６】
このように、本実施の形態１は、養殖魚を養殖する養魚場１０の水１１に水流を発生させる水流発生装置において、全体が略中空柱状体でなり、その周囲に養魚場１０の水１１を吸い込む円形開口４２のような開口部が形成された下部胴体部２０と上部胴体部２１からなる本体部２５と、本体部２５の中空内部に回転可能に配置され、本体部２５の長手方向に延在する回転軸３４と、本体部２５の上方部に設置され、回転軸３４を回転駆動する駆動装置３３と、本体部２５の円形開口４２のような開口部の下部に位置し、回転軸３４に取付けられた羽根車３５を収容し、羽根車３５の回転により、本体部２５の円形開口４２のような開口部から吸い込まれた水１１を吐出する吐出部４３を有するポンプ室４０とを備えるものである。
【００４７】
したがって、養魚場１０の水１１に水流１５を形成する水流発生装置１２が、電動機２２に回転駆動され、先端部に羽根車３５を取付けた回転軸３４、円形開口部４２を有する本体部２５及び羽根車３５によってポンプ室４０で発生する圧力水を吐出する吐出部４３で構成でき、簡単な構造の水流発生装置１２が得られることになる。
【００４８】
また、養魚場１０に水流１５を形成するのに、養魚場１０の水面５０に近い水１１を円形開口部４２からなる開口部から吸い込み、底に近く、かつ、底の面と略平行方向に水１１を吐出部４３から吐出するようにしたので、水流発生装置１２の内部に土砂等を吸い込むことなく、底面近くに水流が形成できる。更に、養殖魚に充分運動させることができるので、ストレスを与えることなく、余分な体脂肪が除去でき、肉質の良好な養殖魚を得ることができる。
【００４９】
実施の形態２．
次に、この発明の実施の形態２について説明する。
【００５０】
図６は本実施の形態２の水流発生装置で、便宜上、一部を破断して図示した正面図である。なお、本実施の形態において、実施の形態１と同一記号または同一符号は、上記実施の形態１と同一または相当する構成部分を示すものであるから、ここでは、重複する説明を省略する。
【００５１】
図６において、混合気体生成装置６０は、この混合気体生成装置６０は、オゾン生成装置６１を具備しており、オゾン生成装置６１で生成したオゾンと、酸素を含む気体の混合体を生成するものである。混合気体生成装置６０で生成される酸素を含む気体とオゾンの混合体は、実施の形態１と同様に、気体供給管４６を経てポンプ室４０に送給される。
【００５２】
周知のように、オゾンには殺菌作用があり、かつ、水中で酸素と変化するから、実施の形態２による混合気体生成装置６０により生成した酸素を含む気体とオゾンとの混合体をポンプ室４０に送給すれば、水流発生装置１２の羽根車３５により形成される水流にオゾンが溶け込み、養殖魚への病気の発生を未然に防ぐことができる。即ち、実施の形態２によれば、実施の形態１の効果を得るとともに、病気の少ない養殖魚の養殖を可能にする効果を発揮する。
【００５３】
図６において、下部胴体部２０の周囲に水１１で埋没する箇所に形成される溝状開口部７０は、水位の深さ方向、即ち、下部胴体部２０の高さ方向に長い開口形状を有するものである。
【００５４】
前述のように、水１１の吸入口となる開口部を、下部胴体部２０のあまり上部位置に形成すると水面が低下した場合に水１１を吸い込まなくなり、また、あまり下方位置に形成すると下部胴体部２０等の内部に土砂等を吸い込むことになるので、水１１に埋没する位置で、水面より若干下方位置に形成することが好ましい。
【００５５】
この実施の形態２のように、水１１の吸入口となる開口部を深さ方向に長い開口形状を有する溝状開口部７０とすることにより、水流発生装置１２を設置した養魚場の水位が低下しても、溝状開口部７０から水１１を吸い込むことができ、ポンプ室４０を経て吐出部４３から外部に吐出させることができる。即ち、水位変動にも対応できる水流発生装置１２が得られる。
【００５６】
また、制限板８０は、溝状開口部７０の水１１の取入口、即ち、開口部を制限するもので、養魚場１０の水１１の深さ、或いは浮遊物の存在等によって設けるものであり、制限板８０は、ボルト８１によって本体部２５に取付け、任意の水１１の吸入口となる溝状開口部７０からなる開口部の面積に設定することができる。
【００５７】
前記各実施の形態においては、水流発生装置１２の本体部２５を中空円柱体から構成したものについて図示説明したが、この発明の主旨は、中空内部に回転軸３２を回転可能に配置できる形状であれば中空角柱体等でもよく、所謂、中空柱状体であればよいことは言うまでもない。
【００５８】
また、前記各実施の形態において、水流発生装置１２の本体部２５に、円形開口部４２或いは溝状開口部７０を、その周囲に所定間隔で複数形成したものについて図示説明したが、本体部２５に水１１を導入出来ればよく、従って、複数形成する必要はなく、１個形成するのみでもよいことは勿論である。
【産業上の利用可能性】
【００５９】
以上のように、この発明に係る水流発生装置によれば、流れに逆らって泳ぐ性質を備える鮎や鱒或いは鯉等の養殖魚を養殖する養魚場の水に水流を発生させる手段として、簡単な構造で、安価で、かつ、水中の土砂等を装置内部に吸い込まない水流発生装置を得ることができ、産業上の利用可能性は大なるものがある。
【図面の簡単な説明】
【００６０】
【図１】図１は本発明の実施の形態１の水流発生装置を矩形状の養魚場において使用している状態を平面的に示した概念図である。
【図２】図２は本実施の形態１の水流発生装置で、一部を破断して図示した正面図である。
【図３】図３は本発明の実施の形態１の水流発生装置に使用されている羽根車の正面図である。
【図４】図４は図３のＸ−Ｘ線断面図である。
【図５】図５は本発明の実施の形態１の水流発生装置に使用しているポンプ室の水平断面図である。
【図６】図６は本実施の形態２の水流発生装置で、一部を破断して図示した正面図である。
【符号の説明】
【００６１】
１０  養魚場
１１  水
１２  水流発生装置
２５  本体部
３３  駆動装置
３４  回転軸
３５  羽根車
４０  ポンプ室
４２  円形開口部
４３  吐出部
４５  気体生成装置
４６  気体供給管
６０  混合気体生成装置
６１  オゾン生成装置
７０  溝状開口部
【図１】
2006025729.tif 000003
【図２】
2006025729.tif 000004
【図３】
2006025729.tif 000005
【図４】
2006025729.tif 000006
【図５】
2006025729.tif 000007
【図６】
2006025729.tif 000008